(57)【要約】【課題】ＦＴＰにより通信が行われるネットワークに接続されたリムーバブルメディア装置に装着されたリムーバブルメディアに記憶された画像のサムネイル画像を取得することができるリムーバブルメディア装置を提供する。【解決手段】これらのアイコンのうち、いずれかがユーザによりダブルクリックされると、ウェブブラウザは、そのアイコンに対応する元画像のファイルの送信をＭＦＰ１に要求する。このとき、縮小画像の見せかけのアイコンが指定された場合は、ＭＦＰ１は、メモリカード４０が記憶する複数の画像の縮小画像を形成し、それらを一つのページに表示するサムネイル画像を形成し、ＰＣ２０に送信する。【選択図】図２
2007200235.tif 000002
【特許請求の範囲】
【請求項１】
リムーバブルメディアが記憶する情報をＦＴＰにより通信が行われるネットワークを介して出力することができるリムーバブルメディア装置において、
前記リムーバブルディスクが記憶する複数の画像を縮小して一つの画面に配置する縮小画面を作成する縮小画面作成手段と、
前記ネットワークを介して、前記縮小画面作成手段により作成された縮小画面と、その縮小画面に表示される複数の画像のそれぞれを特定する画像特定情報とを一つのサムネイル画像ファイルとして作成するサムネイル画像ファイル作成手段と、
そのサムネイル画像作成手段により作成されたサムネイル画像ファイルを送信するサムネイル画像ファイル送信手段と、
前記リムーバブルメディアが記憶する複数の画像のいずれかを特定する画像特定情報を受信した場合は、その画像特定情報により特定される画像を送信する元画像送信手段とを備えていることを特徴とするリムーバブルメディア装置。
【請求項２】
前記縮小画面作成手段は、ＪＰＥＧ形式により縮小画面を作成し、
前記サムネイル画像ファイル作成手段は、前記縮小画面作成手段により作成された縮小画面と、ウエブ記述言語で記述された画像特定情報とによりサムネイル画像ファイルを作成することを特徴とする請求項１記載のリムーバブルメディア装置。
【請求項３】
前記サムネイル画像ファイル作成手段は、サムネイル画像ファイル中の縮小画面の記憶位置と、サムネイル画像ファイル中の画像特定情報の記憶位置とを記憶するサムネイル画像ファイルを作成することを特徴とする請求項１または２記載のリムーバブルメディア装置。
【請求項４】
前記サムネイル画像ファイル作成手段は、変更可能なネットワークアドレスと前記リムーバブルメディア中の画像を特定する情報とにより構成される画像特定情報を作成することを特徴とする請求項１から３のいずれかに記載のリムーバブルメディア装置。
【請求項５】
リムーバブルメディアが記憶する情報をＦＴＰにより通信が行われるネットワークを介して出力することができるリムーバブルメディア装置を制御するリムーバブルメディア装着制御プログラムにおいて、前記リムーバブルディスクが記憶する複数の画像を縮小して一つの画面に配置する縮小画面を作成する縮小画面作成ステップと、
前記ネットワークを介して、前記縮小画面作成ステップにより作成された縮小画面と、その縮小画面に表示される複数の画像のそれぞれを特定する画像特定情報とを一つのサムネイル画像ファイルとして作成するサムネイル画像ファイル作成ステップと、
そのサムネイル画像作成ステップにより作成されたサムネイル画像ファイルを送信するサムネイル画像ファイル送信ステップと、
前記リムーバブルメディアが記憶する複数の画像のいずれかを特定する画像特定情報を受信した場合は、その画像特定情報により特定される画像を送信する元画像送信ステップとを備えていることを特徴とするリムーバブルメディア装置制御プログラム。
【請求項６】
前記縮小画面作成ステップは、ＪＰＥＧ形式により縮小画面を作成し、
前記サムネイル画像ファイル作成ステップは、前記縮小画面作成手ステップにより作成された縮小画面と、ウエブ記述言語で記述された画像特定情報とによりサムネイル画像ファイルを作成することを特徴とする請求項５記載のリムーバブルメディア装置制御プログラム。
【請求項７】
前記サムネイル画像ファイル作成ステップは、サムネイル画像ファイル中の縮小画面の記憶位置と、サムネイル画像ファイル中の画像特定情報の記憶位置とを記憶するサムネイル画像ファイルを作成することを特徴とする請求項５または６記載のリムーバブルメディア装置制御プログラム。
【請求項８】
前記サムネイル画像ファイル作成ステップは、変更可能なネットワークアドレスと前記リムーバブルメディア中の画像を特定する情報とにより構成される画像特定情報を作成することを特徴とする請求項５から７のいずれかに記載のリムーバブルメディア装置。
【請求項９】
リムーバブルメディアを装着するリムーバブルメディア装置とＦＴＰにより通信が行われるネットワークを介して接続され、リムーバブルメディアに記憶されている情報をネットワークを介して受信する受信手段と、その受信手段により受信された情報を表示する表示手段とを備えたネット機器を制御するネット機器制御プログラムにおいて、
前記リムーバブルメディア装置が送信したサムネイル画像ファイルを受信するサムネイル画像ファイル受信ステップと、
そのサムネイル画像ファイル受信ステップにより受信されたサムネイル画像ファイルを構成する縮小画面と画像特定情報とを分離し、前記表示手段に縮小画面を表示する縮小画面表示ステップと、
その縮小画面表示ステップにより表示された縮小画面のいずれかが選択されたことに応じてリムーバブル装置にその選択された画像に対応する画像特定情報に基づいて、元画像の送信を要求する元画像送信要求ステップとを備えていることを特徴とするネット機器制御プログラム。
【請求項１０】
前記サムネイル画像ファイル受信ステップは、ＪＰＥＧ形式で作成された画像特定情報と、ウエブ記述言語で記述された画像特定情報とを記憶する一つのファイルとして受信することを特徴とする請求項９記載のネット機器制御プログラム。
【請求項１１】
前記縮小画面表示ステップは、前記サムネイル画像ファイル受信ステップにより受信されたサムネイル画像ファイルに記憶された、縮小画面のサムネイル画像ファイル中の記憶位置と画像特定情報のサムネイル画像ファイル中の記憶位置とに基づいて、縮小画面と画像特定情報とを分離し、縮小画面を表示することを特徴とする請求項９または１０記載のネット機器制御プログラム。
【請求項１２】
前記サムネイル画像ファイル受信ステップにより受信されたサムネイル画像ファイルに記憶された変更可能なネットワークアドレスを変更するネットワークアドレス変更ステップを備え、
前記元画像送信要求ステップは、前記ネットワークアドレス変更ステップにより変更されたネットワークアドレスと、前記サムネイル画像ファイル受信ステップにより受信されたサムネイル画像ファイルに記憶されたリムーバブルメディア中の画像を特定する画像特定情報とに基づいて元画像の送信を要求することを特徴とする請求項９から１１のいずれかに記載のネット機器制御プログラム。
【発明の詳細な説明】
【技術分野】
【０００１】
本発明は、リムーバブルメディア装置、リムーバブルメディア装置制御プログラムおよびネット機器制御プログラムに関し、特にリムーバブルメディアに記憶された画像の縮小画像を表示することができるリムーバブルメディア装置、リムーバブルメディア装置制御プログラムおよびネット機器制御プログラムに関する。
【背景技術】
【０００２】
デジタルカメラにより撮影された画像データは、着脱自在なメモリカード（リムーバブルメディア）に記憶される。そのメモリカードは、ネットワークに接続されたカードリーダ（リムーバブルメディア装置）に装着され、メモリカードに記憶される情報が読み取られ、その情報は、ネットワークに接続されたコンピュータに入力される。
【０００３】
デジタルカメラには、撮影した複数の画像を縮小して一つの画面に複数表示し、撮影した順序などを参照することができるサムネイル表示機能が搭載されている。
【０００４】
特開２００４−１７２８４２号公報（特許文献１）には、デジタルカメラで撮影した画像を本体に装着されたメモリカードから直接印刷を行うことができるダイレクトプリンタであって、ネットワークを介してメモリカードが記憶している画像データをコンピュータの記憶装置に保存する装置が開示されている。
【０００５】
また、特開２０００−１２５２５１号公報(特許文献２）には、デジタルカメラにおいて、サムネイル画像を生成して格納および表示することが開示されている。
【特許文献１】特開２００４−１７２８４２号公報
【特許文献２】特開２０００−１２５２５１号公報
【発明の開示】
【発明が解決しようとする課題】
【０００６】
しかしながら、ＦＴＰ（File  Traｎsfer  Protocol）を使用して通信を行うネットワークにおいては、サムネイル画像の送受信を行うことができないという問題点があった。
【０００７】
本発明は、上記問題点を解決するためになされたものであり、ＦＴＰにより通信が行われるネットワークに接続されたリムーバブルメディア装置に装着されたリムーバブルメディアに記憶された画像のサムネイル画像を取得することができるリムーバブルメディア装置、リムーバブルメディア装置制御プログラムおよびネット機器制御プログラムを提供することを目的としている。
【課題を解決するための手段】
【０００８】
この目的を達成するために、本発明の請求項１記載のリムーバブルメディア装置は、リムーバブルメディアが記憶する情報をＦＴＰにより通信が行われるネットワークを介して出力することができるものであり、前記リムーバブルディスクが記憶する複数の画像を縮小して一つの画面に配置する縮小画面を作成する縮小画面作成手段と、前記ネットワークを介して、前記縮小画面作成手段により作成された縮小画面と、その縮小画面に表示される複数の画像のそれぞれを特定する画像特定情報とを一つのサムネイル画像ファイルとして作成するサムネイル画像ファイル作成手段と、そのサムネイル画像作成手段により作成されたサムネイル画像ファイルを送信するサムネイル画像ファイル送信手段と、前記リムーバブルメディアが記憶する複数の画像のいずれかを特定する画像特定情報を受信した場合は、その画像特定情報により特定される画像を送信する元画像送信手段とを備えている。
【０００９】
請求項２記載のリムーバブルメディア装置は、請求項１記載のリムーバブルメディア装置において、前記縮小画面作成手段は、ＪＰＥＧ形式により縮小画面を作成し、前記サムネイル画像ファイル作成手段は、前記縮小画面作成手段により作成された縮小画面と、ウエブ記述言語で記述された画像特定情報とによりサムネイル画像ファイルを作成する。
【００１０】
請求項３記載のリムーバブルメディア装置は、請求項１または２記載のリムーバブルメディア装置において、前記サムネイル画像ファイル作成手段は、サムネイル画像ファイル中の縮小画面の記憶位置と、サムネイル画像ファイル中の画像特定情報の記憶位置とを記憶するサムネイル画像ファイルを作成する。
【００１１】
請求項４記載のリムーバブルメディア装置は、請求項１から３のいずれかに記載のリムーバブルメディア装置において、前記サムネイル画像ファイル作成手段は、変更可能なネットワークアドレスと前記リムーバブルメディア中の画像を特定する情報とにより構成される画像特定情報を作成する。
【００１２】
請求項５記載のリムーバブルメディア装置制御プログラムは、リムーバブルメディアが記憶する情報をＦＴＰにより通信が行われるネットワークを介して出力することができるリムーバブルメディア装置を制御するものであり、前記リムーバブルディスクが記憶する複数の画像を縮小して一つの画面に配置する縮小画面を作成する縮小画面作成ステップと、前記ネットワークを介して、前記縮小画面作成ステップにより作成された縮小画面と、その縮小画面に表示される複数の画像のそれぞれを特定する画像特定情報とを一つのサムネイル画像ファイルとして作成するサムネイル画像ファイル作成ステップと、そのサムネイル画像作成ステップにより作成されたサムネイル画像ファイルを送信するサムネイル画像ファイル送信ステップと、前記リムーバブルメディアが記憶する複数の画像のいずれかを特定する画像特定情報を受信した場合は、その画像特定情報により特定される画像を送信する元画像送信ステップとを備えている。
【００１３】
請求項６記載のリムーバブルメディア装置制御プログラムは、請求項５記載のリムーバブルメディア装置制御プログラムにおいて、前記縮小画面作成ステップは、ＪＰＥＧ形式により縮小画面を作成し、前記サムネイル画像ファイル作成ステップは、前記縮小画面作成手ステップにより作成された縮小画面と、ウエブ記述言語で記述された画像特定情報とによりサムネイル画像ファイルを作成する。
【００１４】
請求項７記載のリムーバブルメディア装置制御プログラムは、請求項５または６記載のリムーバブルメディア装置制御プログラムにおいて、前記サムネイル画像ファイル作成ステップは、サムネイル画像ファイル中の縮小画面の記憶位置と、サムネイル画像ファイル中の画像特定情報の記憶位置とを記憶するサムネイル画像ファイルを作成する。
【００１５】
請求項８記載のリムーバブルメディア装置制御プログラムは、請求項５から７のいずれかに記載のリムーバブルメディア装置制御プログラムにおいて、前記サムネイル画像ファイル作成ステップは、変更可能なネットワークアドレスと前記リムーバブルメディア中の画像を特定する情報とにより構成される画像特定情報を作成する。
【００１６】
請求項９記載のネット機器制御プログラムにおいて、リムーバブルメディアを装着するリムーバブルメディア装置とＦＴＰにより通信が行われるネットワークを介して接続され、リムーバブルメディアに記憶されている情報をネットワークを介して受信する受信手段と、その受信手段により受信された情報を表示する表示手段とを備えたネット機器を制御するものであり、前記リムーバブルメディア装置が送信したサムネイル画像ファイルを受信するサムネイル画像ファイル受信ステップと、そのサムネイル画像ファイル受信ステップにより受信されたサムネイル画像ファイルを構成する縮小画面と画像特定情報とを分離し、前記表示手段に縮小画面を表示する縮小画面表示ステップと、その縮小画面表示ステップにより表示された縮小画面のいずれかが選択されたことに応じてリムーバブル装置にその選択された画像に対応する画像特定情報に基づいて、元画像の送信を要求する元画像送信要求ステップとを備えている。
【００１７】
請求項１０記載のネット機器制御プログラムは、請求項９記載のネット機器制御プログラムにおいて、前記サムネイル画像ファイル受信ステップは、ＪＰＥＧ形式で作成された画像特定情報と、ウエブ記述言語で記述された画像特定情報とを記憶する一つのファイルとして受信する。
【００１８】
請求項１１記載のネット機器制御プログラムは、請求項９または１０記載のネット機器制御プログラムにおいて、前記縮小画面表示ステップは、前記サムネイル画像ファイル受信ステップにより受信されたサムネイル画像ファイルに記憶された、縮小画面のサムネイル画像ファイル中の記憶位置と画像特定情報のサムネイル画像ファイル中の記憶位置とに基づいて、縮小画面と画像特定情報とを分離し、縮小画面を表示する。
【００１９】
請求項１２記載のネット機器制御プログラムは、請求項９から１１のいずれかに記載のネット機器制御プログラムにおいて、前記サムネイル画像ファイル受信ステップにより受信されたサムネイル画像ファイルに記憶された変更可能なネットワークアドレスを変更するネットワークアドレス変更ステップを備え、前記元画像送信要求ステップは、前記ネットワークアドレス変更ステップにより変更されたネットワークアドレスと、前記サムネイル画像ファイル受信ステップにより受信されたサムネイル画像ファイルに記憶されたリムーバブルメディア中の画像を特定する画像特定情報とに基づいて元画像の送信を要求する。
【発明の効果】
【００２０】
請求項１記載のリムーバブルメディア装置によれば、リムーバブルディスクが記憶する複数の画像を縮小して一つの画面に配置する縮小画面を作成する縮小画面作成手段と、ネットワークを介して、縮小画面作成手段により作成された縮小画面と、その縮小画面に表示される複数の画像のそれぞれを特定する画像特定情報とを一つのサムネイル画像ファイルとして作成するサムネイル画像ファイル作成手段と、そのサムネイル画像作成手段により作成されたサムネイル画像ファイルを送信するサムネイル画像ファイル送信手段と、リムーバブルメディアが記憶する複数の画像のいずれかを特定する画像特定情報を受信した場合は、その画像特定情報により特定される画像を送信する元画像送信手段とを備えているので、従来より広く用いられるプロトコルであるＦＴＰにより通信が行われるネットワークを介してサムネイル画像を送信することができる。また、ネットワークに接続されたネット機器において、複数のサムネイル画像を表示し、そのいずれかを選択し、その選択された元画像の送信を要求することができる。よって、ユーザは、ネット機器において、複数のサムネイル画像を参照して所望の画像を選択し、その選択された元画像を表示させることができるので、使い勝手がよいという効果がある。
【００２１】
請求項２記載のリムーバブルメディア装置によれば、請求項１記載のリムーバブルメディア装置の奏する効果に加え、縮小画面作成手段は、ＪＰＥＧ形式により縮小画面を作成し、サムネイル画像ファイル作成手段は、縮小画面作成手段により作成された縮小画面と、ウエブ記述言語で記述された画像特定情報とによりサムネイル画像ファイルを作成するので、デジタルカメラにより撮影された静止画像の汎用フォーマットであるＪＰＥＧ形式によりサムネイル画像が形成され、汎用のブラウザにより表示することができるとともに、各サムネイル画像を特定する画像特定情報を汎用のブラウザにより処理することができるという効果がある。
【００２２】
請求項３記載のリムーバブルメディア装置によれば、請求項１または２記載のリムーバブルメディア装置の奏する効果に加え、サムネイル画像ファイル作成手段は、サムネイル画像ファイル中の縮小画面の記憶位置と、サムネイル画像ファイル中の画像特定情報の記憶位置とを記憶するサムネイル画像ファイルを作成するので、サムネイル画像ファイルを受信したネット機器において、容易に縮小画面と、画像特定情報とを分離することができるという効果がある。
【００２３】
請求項４記載のリムーバブルメディア装置によれば、請求項１から３のいずれかに記載のリムーバブルメディア装置の奏する効果に加え、サムネイル画像ファイル作成手段は、変更可能なネットワークアドレスとリムーバブルメディア中の画像を特定する情報とにより構成される画像特定情報を作成するので、サムネイル画像ファイルを受信するネット機器において、リムーバブルメディア装置にアクセスすることができるネットワークアドレスに変更することができる。ネットワーク上の位置を特定する情報には、ノード名や、ＩＰアドレスが用いられるが、ネットワークによって変わる場合がある。特に、リムーバブルメディア装置と接続されるネット機器との間にルータなどが配置される場合には、ネットワークアドレスが変わり、ネット機器においてリムーバブルメディア装置にアクセスするための正しいネットワークアドレスを設定する必要がある。
【００２４】
請求項５記載のリムーバブルメディア装置制御プログラムによれば、リムーバブルディスクが記憶する複数の画像を縮小して一つの画面に配置する縮小画面を作成する縮小画面作成ステップと、ＦＴＰにより通信が行われるネットワークを介して縮小画面作成ステップにより作成された縮小画面と、その縮小画面に表示される複数の画像のそれぞれを特定する画像特定情報とを一つのサムネイル画像ファイルとして作成するサムネイル画像ファイル作成ステップと、そのサムネイル画像作成ステップにより作成されたサムネイル画像ファイルを送信するサムネイル画像ファイル送信ステップと、リムーバブルメディアが記憶する複数の画像のいずれかを特定する画像特定情報を受信した場合は、その画像特定情報により特定される画像を送信する元画像送信ステップとを備えているので、従来より広く用いられるプロトコルであるＦＴＰにより通信が行われるネットワークを介してサムネイル画像を送信することができる。また、ネットワークに接続されたネット機器において、複数のサムネイル画像を表示し、そのいずれかを選択し、その選択された元画像の送信を要求することができる。よって、ユーザは、ネット機器において、複数のサムネイル画像を参照して所望の画像を選択し、その選択された元画像を表示させることができるので、使い勝手がよいという効果がある。
【００２５】
請求項６記載のリムーバブルメディア装置制御プログラムによれば、請求項５記載のリムーバブルメディア装置制御プログラムの奏する効果に加え、ネットワークは、縮小画面作成ステップは、ＪＰＥＧ形式により縮小画面を作成し、サムネイル画像ファイル作成ステップは、縮小画面作成手ステップにより作成された縮小画面と、ウエブ記述言語で記述された画像特定情報とによりサムネイル画像ファイルを作成するので、デジタルカメラにより撮影された静止画像の汎用フォーマットであるＪＰＥＧ形式によりサムネイル画像が形成され、汎用のブラウザにより表示することができるとともに、各サムネイル画像を特定する画像特定情報を汎用のブラウザにより処理することができるという効果がある。
【００２６】
請求項７記載のリムーバブルメディア装置制御プログラムによれば、請求項５または６記載のリムーバブルメディア装置制御プログラムの奏する効果に加え、サムネイル画像ファイル作成ステップは、サムネイル画像ファイル中の縮小画面の記憶位置と、サムネイル画像ファイル中の画像特定情報の記憶位置とを記憶するサムネイル画像ファイルを作成するので、サムネイル画像ファイルを受信したネット機器において、容易に縮小画面と、画像特定情報とを分離することができるという効果がある。
【００２７】
請求項８記載のリムーバブルメディア装置制御プログラムによれば、請求項５から７のいずれかに記載のリムーバブルメディア装置制御プログラムの奏する効果に加え、サムネイル画像ファイル作成ステップは、変更可能なネットワークアドレスとリムーバブルメディア中の画像を特定する情報とにより構成される画像特定情報を作成するので、サムネイル画像ファイルを受信するネット機器において、リムーバブルメディア装置にアクセスすることができるネットワークアドレスに変更することができる。ネットワーク上の位置を特定する情報には、ノード名や、ＩＰアドレスが用いられるが、ネットワークによって変わる場合がある。特に、リムーバブルメディア装置と接続されるネット機器との間にルータなどが配置される場合には、ネットワークアドレスが変わり、ネット機器においてリムーバブルメディア装置にアクセスするための正しいネットワークアドレスを設定する必要がある。
【００２８】
請求項９記載のネット機器制御プログラムによれば、リムーバブルメディア装置が送信したサムネイル画像ファイルを受信するサムネイル画像ファイル受信ステップと、そのサムネイル画像ファイル受信ステップにより受信されたサムネイル画像ファイルを構成する縮小画面と画像特定情報とを分離し、表示手段に縮小画面を表示する縮小画面表示ステップと、その縮小画面表示ステップにより表示された縮小画面のいずれかが選択されたことに応じてリムーバブル装置にその選択された画像に対応する画像特定情報に基づいて、元画像の送信を要求する元画像送信要求ステップとを備えているので、従来より広く用いられるＦＴＰにより通信が行われるネットワークを介してサムネイル画像を受信し、表示することができる。また、複数のサムネイル画像を表示し、そのいずれかを選択することにより元画像の送信を要求することができる。よって、ユーザは、複数のサムネイル画像を参照して所望の画像を選択し、その選択された元画像を表示させることができるので、使い勝手がよいという効果がある。
【００２９】
請求項１０記載のネット機器制御プログラムによれば、請求項９記載のネット機器制御プログラムの奏する効果に加え、ネットワークは、サムネイル画像ファイル受信ステップは、ＪＰＥＧ形式で作成された画像特定情報と、ウエブ記述言語で記述された画像特定情報とを記憶する一つのファイルとして受信するので、デジタルカメラにより撮影された静止画像の汎用フォーマットであるＪＰＥＧ形式によりサムネイル画像が形成され、汎用のブラウザにより表示することができるとともに、各サムネイル画像を特定する画像特定情報を汎用のブラウザにより処理することができるという効果がある。
【００３０】
請求項１１記載のネット機器制御プログラムによれば、請求項９または１０記載のネット機器制御プログラムの奏する効果に加え、縮小画面表示ステップは、サムネイル画像ファイル受信ステップにより受信されたサムネイル画像ファイルに記憶された、縮小画面のサムネイル画像ファイル中の記憶位置と画像特定情報のサムネイル画像ファイル中の記憶位置とに基づいて、縮小画面と画像特定情報とを分離し、縮小画面を表示するので、容易に縮小画面と、画像特定情報とを分離することができるという効果がある。
【００３１】
請求項１２記載のネット機器制御プログラムによれば、請求項９から１１のいずれかに記載のネット機器制御プログラムの奏する効果に加え、サムネイル画像ファイル受信ステップにより受信されたサムネイル画像ファイルに記憶された変更可能なネットワークアドレスを変更するネットワークアドレス変更ステップを備え、元画像送信要求ステップは、ネットワークアドレス変更ステップにより変更されたネットワークアドレスと、サムネイル画像ファイル受信ステップにより受信されたサムネイル画像ファイルに記憶されたリムーバブルメディア中の画像を特定する画像特定情報とに基づいて元画像の送信を要求するので、リムーバブルメディア装置にアクセスすることができるネットワークアドレスに変更することができる。ネットワーク上の位置を特定する情報には、ノード名やＩＰアドレスが用いられるが、ネットワークによって変わる場合がある。特に、リムーバブルメディア装置と接続されるネット機器との間にルータなどが配置される場合には、ネットワークアドレスが変わり、ネット機器においてリムーバブルメディア装置にアクセスするための正しいネットワークアドレスを設定する必要がある。
【発明を実施するための最良の形態】
【００３２】
以下、本発明の好ましい実施例について、添付図面を参照して説明する。図１は、本発明の実施形態における多機能周辺装置（以下、「ＭＦＰ（Multi  Function  Peripheral）」と略す）１と、ＬＡＮ（Local  Area  Network）５０を介して接続されるパーソナルコンピュータ（以下、「ＰＣ」と略す）２０とからなる通信システムの構成を示すブロック図である。
【００３３】
ＭＦＰ１は、フォトメディアキャプチャ機能、プリンタ機能、コピー機能、スキャナ機能、ファクシミリ機能などの各種の機能を１台に備えている。図１に示すように、ＭＦＰ１は、ＭＦＰ１全体の動作を制御するＣＰＵ２と、そのＣＰＵ２により実行される各種処理に必要なデータ等を一時的に記憶するためのメモリであるＲＡＭ３と、ＣＰＵ２により実行される各種制御プログラムや固定値データを記憶するＲＯＭ４と、ＬＡＮインターフェース（以下、「ＬＡＮＩ／Ｆ」と称する）５と、プリンタ部６と、スキャナ部７と、メモリカード部８と、ＭＦＰ１で各種機能を実行させるための複数の操作入力キー（ボタンやスイッチなど）と表示器とから構成される操作部９と、フラッシュメモリ１０と、電話回線（図示なし）を介して画像情報を送受信するファクシミリ部１１とを主に備えている。
【００３４】
ＣＰＵ２は、ＲＯＭ４に記憶された各種プログラムを実行するプロセッサであり、ＲＡＭ３は、ＣＰＵ２が各種プログラムを実行する際、変数などを一時記憶するワークエリア等を有するランダムにアクセスできるメモリである。ＲＯＭ４に記憶されるプログラムには、メモリカード部８に装着されるメモリカード４０に記憶される複数の写真などの画像を縮小して一つの画面に表示するサムネイル画像を形成するサムネイル画像形成プログラムや、ＬＡＮ５０を介してＰＣ２０などからサムネイル画像やその元画像の送信要求に応じて送信する通信プログラムなどがある。
【００３５】
操作部９は、操作パネルに複数のスイッチや表示器を備えるものであり、ユーザがスイッチを操作することによりＭＦＰ１に指示を行うことができる。スイッチとしては、フォトメディアキャプチャ機能、コピー機能、スキャナ機能、ファクシミリ機能などの各種の機能を選択するモード選択キーや、数値や文字を入力することができるテンキーなどが備えられている。モード選択キーを操作することにより、フォトメディアキャプチャ機能を実行するフォトメディアキャプチャモード、コピー機能を実行するコピーモード、スキャナ機能を実行するスキャナモード、ファクシミリ機能を実行するファクシミリモードなどに設定することができる。
【００３６】
また、テンキーを操作することにより、ファクシミリ送信における送信先の番号を入力したり、コピーを行う場合の印刷部数を入力することができる。表示器は、設定された種々の値などを示す設定画面などを表示するものである。
【００３７】
フラッシュメモリ１０は、種々のデータの書き込みおよび読み出しを行うことができる不揮発性のメモリである。ＭＦＰ１のＬＡＮ５０におけるネットワークアドレス（ＩＰアドレス）またはノード名などが記憶される。
【００３８】
ＬＡＮＩ／Ｆ５は、ネットワークであるＬＡＮ５０を介して通信を行うインターフェースである。なお、この実施形態では、ファイル転送のプロトコルとしてＦＴＰ（File
Transfer  Protocol）を使用して通信を行うものとする。フォトメディアキャプチャモードに設定されている場合には、メモリカード部８に装着されたメモリカード４０に記憶されている画像や文書のデータを、このＬＡＮＩ／Ｆ５を介してＬＡＮ５０に接続されたＰＣ２０に送信することができる。
【００３９】
プリンタ部６は、ＣＰＵ２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。フォトメディアキャプチャモードに設定されている場合には、メモリカード部８に装着されたメモリカード４０に記憶されている画像や文書などのデータを直接このプリンタ部６により印刷することができる。
【００４０】
スキャナ部７は、ＣＰＵ２からの指示に基づいて、所定の読取位置（非図示）にセットされた原稿から画像の読み取りを行うものであり、ＭＦＰ１がコピーモードに設定されている場合には、このスキャナ部７によって生成されたイメージデータは、プリンタ部６により記録紙に印刷される。また、ＭＦＰ１がスキャナモードに設定されている場合には、このスキャナ部７によって生成されたイメージデータは、ＲＡＭ３における所定の記憶領域に格納され、さらにＬＡＮ５０を介してＰＣ２０などに転送される。
【００４１】
メモリカード部８は、各種メモリカード４０を着脱自在に装着可能な複数のスロットを備え、そのスロットに装着されたメモリカード４０に記憶されているデータを読み出したり、所望のデータを書き込むことができるものである。ＭＦＰ１がフォトメディアキャプチャモードに設定されている場合には、メモリカード部８に装着されているメモリカード４０に記憶されているデータを読み出してプリンタ部６により印刷を行うことができるとともに、メモリカード４０から読み出されたデータは、ＬＡＮ５０を介してＰＣ２０に送信することができる。メモリカード４０は、書き換えができると共に電源が遮断された場合でも記憶を保持するフラッシュメモリにより構成され、各社から種々のタイプのもの（例えば、ＳＤカードやｘＤカード）が提供されている。
【００４２】
このメモリカード４０は、デジタルカメラなどにより撮影された画像データや、コンピュータなどにより作成されたテキストデータなどのデータを記憶するデータメモリを備えている。
【００４３】
ファクシミリ部１１は、スキャナ部７により読み取られたイメージデータや、ＬＡＮ５０を介して受信したデータなどを電話回線を介して送信し、電話回線を介して受信したデータをプリンタ部６で印刷したり、ＬＡＮ５０を介してＰＣ２０へ送信したりすることができる。
【００４４】
次に、ＰＣ２０について説明する。ＰＣ２０は、ＣＰＵ２１と、そのＣＰＵ２１により実行される各種処理に必要なデータやプログラム等を一時的に記憶するためのメモリであるＲＡＭ２２と、ＣＰＵ２１により実行される各種の制御プログラムや固定値データを記憶するＲＯＭ２３と、各種設定を記憶し書き換え可能で不揮発性のメモリであるハードディスク２４と、各種機能を設定するための複数の操作入力キーを有するキーボードとマウスにより構成される操作部２７と、各種情報を表示する液晶ディスプレイにより構成される表示器２５と、ＬＡＮ５０に接続するためのＬＡＮインターフェースであるＬＡＮＩ／Ｆ２６とを備えている。
【００４５】
ハードディスク２４には、ＯＳ（Operating  System）を記憶するＯＳメモリ２４ａと、ウェブブラウザを記憶するブラウザメモリ２４ｂと、各種アプリケーションプログラム（以下、アプリケーションと略す）を記憶するアプリケーションメモリ２４ｃが備えられている。アプリケーションの一つとして、サムネイル画像表示処理を行うアプリケーションがある。このアプリケーションは、ＬＡＮ５０を介してＭＦＰ１からサムネイル画像と元画像のファイル名などが記憶されたサムネイル画像ファイルを受信し、そのサムネイル画像ファイルからサムネイル画像の画像データを分離して表示器２５に表示し、次に、そのサムネイル画像のいずれかがマウスによりクリックされると、そのサムネイル画像に対応する元画像の送信をＭＦＰ１に要求し、その元画像がＭＦＰ１より送信されると、その画像を表示するなどの処理を行う。
【００４６】
次に、図２〜図４を参照して、ＭＦＰ１とＰＣ２０とにより行われる処理の概要についてに説明する。図２は、ＭＦＰ１とＰＣ２０において実行される処理の概要を示す模式図であり、図３は、ＰＣ２０において表示器２５に表示される画面を示す画面図であり、図４は、サムネイル画像ファイルを示す図である。
【００４７】
ＰＣ２０において、アプリケーションをインストールした時、拡張子「bridx」を「bridx.exe」に割り付けておく。デスクトップに表示されているネットワークフォトキャプチャアイコンをダブルクリックすると、ウェブブラウザを立ち上がる、ウェブブラウザは、ＭＦＰ１にファイルのリストを要求する［１］。ＭＦＰ１は、メモリカード４０が記憶するファイルのリストと、全ての画像ファイルを縮小した画像の見せかけのファイルとをＰＣ２０に送信する［２］。ＰＣ２０は、アプリケーションがこのファイルを解析し、見せかけのファイルのアイコン「＿縮小版．bridx」と、その他の画像のファイルのアイコンとを画面に表示するようにブラウザを制御する。ここで、表示されるアイコンは、画像の内容を抽象的に表す図形で表示されるものである。図３（ａ）は、この画面の一例を示す画面図であり、左上の「＿縮小版．bridx」と表示されているアイコンが、見せかけのファイルを示すアイコンである。
【００４８】
これらのアイコンのうち、いずれかがユーザによりダブルクリックされると、ウェブブラウザは、そのアイコンに対応する元画像のファイルの送信をＭＦＰ１に要求する［３］。
【００４９】
このとき、サムネイル画像の見せかけのアイコンが指定された場合は、ＭＦＰ１は、メモリカード４０が記憶する複数の画像を縮小したサムネイル画像を形成し、それらを一つのページに表示するサムネイル画像を形成し、ＰＣ２０に送信する［４］。このサムネイル画像ファイルは、図４に示すように、メモリカード４０が記憶する複数の画像を縮小したＪＰＥＧ（Joint  Photographic  Experts  Group）形式による画像情報と、それぞれのサムネイル画像の元のファイルを特定するファイル名をウエブ記述言語（例えば、ＨＴＭＬ：HyperText  Markup  Language）により記述された画像特定情報とヘッダにより構成される。ヘッダには、ＭＦＰ１のＩＰアドレスおよびノード名と、画像情報のファイル内の記憶位置とファイルサイズとファイル名および画像情報の記憶位置とファイルサイズとファイル名などが記憶されている。
【００５０】
ＰＣ２０は、このサムネイル画像ファイルを受信すると、拡張子「bridx」に割り付けられた「bridx.exe」で「＿縮小版．bridx」が実行され、画像情報と画像特定情報とに分解し、画像情報によりサムネイル画像を表示するようにブラウザを制御する。こうして表示される画面を図３（ｂ）に示す。この画面では、各画像を縮小したサムネイル画像が表示されるので、ユーザは、その縮小された画像を参照して選択することができる。
【００５１】
ブラウザにより表示された複数のサムネイル画像のいずれかがクリックされると、そのサムネイル画像が表示されている位置が検出され、その位置に対応して記憶されている画像の元ファイルのファイル名が画像特定情報を参照することにより特定され、そのファイル名に基づいて、そのファイルを送信するようにＭＦＰ１に要求する［５］。ＭＦＰ１は、その送信要求に応答して、指定されたファイルを送信し［６］、ＰＣ２０においてブラウザは、そのファイルの画像を表示する。
【００５２】
以上のように、ＰＣ２０とＭＦＰ１とにおける処理の概略について説明したが、次に、図５を参照してＰＣ２０における処理と、図６を参照してＭＦＰ１における処理のそれぞれについて説明する。まず、ＰＣ２０における処理について説明する。図５は、ＰＣ２０における処理を示すフローチャートである。
【００５３】
このＰＣ２０における処理は、ウェブブラウザを立ち上げることにより起動され、まずウェブブラウザは、ＭＦＰ１にファイルのリストを要求する（Ｓ１）。次に、ＭＦＰ１から、メモリカード４０が記憶するファイルと、全ての画像ファイルを縮小した画像の見せかけのファイルとのリストを受信したか否かを判断する（Ｓ２）。リストを受信した場合は（Ｓ２：Ｙｅｓ）、アプリケーションがこのファイルを解析し、見せかけのファイルのアイコンと、その他の画像のファイルのアイコンとを画面に表示するようにブラウザを制御する（Ｓ３）。
【００５４】
次に、アイコンのいずれかがクリックされたか否かを判断し（Ｓ４）、アイコンのいずれかがクリックされた場合は（Ｓ４：Ｙｅｓ）、そのアイコンに対応するファイルの送信をＭＦＰ１に要求する（Ｓ５）。
【００５５】
Ｓ５の処理を終了した場合、またはＳ４の判断処理においていずれのアイコンもクリックされない場合は（Ｓ４：Ｎｏ）、画像のファイルを受信したか否かを判断する（Ｓ６）。画像のファイルを受信した場合は（Ｓ６：Ｙｅｓ）、その画像ファイルがサムネイル画像ファイルであるか否かを判断する（Ｓ７）。受信した画像ファイルがサムネイル画像ファイルである場合は（Ｓ７：Ｙｅｓ）、サムネイル画像を表示し（Ｓ８）、サムネイル画像のいずれかかがクリックされたか否かを判断する（Ｓ９）。いずれかのサムネイル画像がクリックされた場合は（Ｓ９：Ｙｅｓ）、そのサムネイル画像の元ファイルの送信をＭＦＰ１に要求する（Ｓ１０）。
【００５６】
Ｓ９の判断処理において、サムネイル画像ファイルではなく各画像のいずれかのファイルである場合は（Ｓ７：Ｎｏ）、その画像（元画像）を表示する（Ｓ１１）。Ｓ１０の処理、またはＳ１１の処理を終了した場合、またはＳ９の判断処理において、いずれのサムネイル画像もクリックされない場合は（Ｓ９：Ｎｏ）、ウェブブラウザの処理の終了が指示されたか否かを判断し（Ｓ１２）、終了が指示された場合は（Ｓ１２：Ｙｅｓ）、この処理を終了し、終了が指示されていない場合は（Ｓ１２：Ｎｏ）、Ｓ４の処理に戻る。
【００５７】
次に、図６を参照して、ＭＦＰ１における処理について説明する。図６は、ＭＦＰ１における処理を示すフローチャートである。
【００５８】
ＭＦＰ１における処理では、まず、リストの送信要求を受信したか否かを判断する（Ｓ２１）。リストの送信要求を受信した場合は（Ｓ２１：Ｙｅｓ）、メモリカード４０が記憶するファイルと、全ての画像ファイルを縮小した画像の見せかけのファイルとのリストを送信する（Ｓ２２）。Ｓ２２の処理を終了した場合、またはＳ２１の処理においてリストの送信要求を受信していない場合は（Ｓ２１：Ｎｏ）、サムネイル画像ファイルの送信要求を受信したか否かを判断する（Ｓ２３）。サムネイル画像ファイルの送信要求を受信した場合は（Ｓ２３：Ｙｅｓ）、メモリカード４０が記憶する複数の画像を縮小した縮小画面を作成し（Ｓ２４）、その縮小画面の情報と、それぞれのサムネイル画像の元のファイルを特定するファイル名をウエブ記述言語により記述した画像特定情報とを有するサムネイル画像ファイルを作成し（Ｓ２５）、要求先へ送信する（Ｓ２６）。
【００５９】
Ｓ２６の処理を終了した場合、またはＳ２３の判断処理においてサムネイル画像ファイルの送信要求を受信していない場合は（Ｓ２３：Ｎｏ）、元画像を記憶した元画像ファイルの送信要求を受信したか否かを判断する（Ｓ２７）。元画像ファイルの送信要求を受信した場合は（Ｓ２７：Ｙｅｓ）、その元画像ファイルを要求元に送信する（Ｓ２８）。元画像ファイルの送信要求を受信していない場合（Ｓ２７：Ｎｏ）、またはＳ２８の処理を終了した場合は、Ｓ２１の処理に戻る。
【００６０】
以上、実施形態に基づいて説明したように、ＭＦＰ１では、ファイルのリストの送信要求を受信すると、サムネイル画像ファイルを保有しているものとして、リストを返し、サムネイル画像の送信要求を受信すると、サムネイル画像ファイルを作成して送信する。
【００６１】
よって、ＦＴＰにより通信が行われるリムーバブルメディア装置において、サムネイル画像をＰＣ２０などの要求元に送信することができる。このことにより、ＰＣ２０においては、サムネイル画像を表示することができ、ユーザは、サムネイル画像を参照して画像を選択することができる。
【００６２】
なお、請求項に記載の縮小画面作成手段および縮小画面作成ステップは、図６に記載のフローチャートのＳ２４の処理が該当し、サムネイル画像ファイル作成手段およびサムネイル画像ファイル作成ステップは、図６に記載のフローチャートのＳ２５の処理が該当し、サムネイル画像ファイル送信手段およびサムネイル画像ファイル送信ステップは、図６に記載のフローチャートのＳ２６の処理が該当し、元画像送信手段および元画像送信ステップは、図６に記載のフローチャートのＳ２８の処理が該当し、サムネイル画像ファイル受信ステップは、図５に記載のフローチャートのＳ６の処理が該当し、縮小画面表示ステップは、図５に記載のフローチャートのＳ８の処理が該当し、元画像送信要求ステップは、図５に記載のフローチャートのＳ１０の処理が該当する。
【００６３】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００６４】
例えば、上記実施形態では、上記実施形態では、カードリーダは、ＭＦＰ１に組み込まれているものとしたが、カードリーダまたはカードリーダライタ単独の機能を有するものでもよい。
【００６５】
また、上記実施形態では、カードリーダは、ＭＦＰ１の構成であるＣＰＵにより制御されるものとしたが、カードリーダが、コンピュータと例えばＵＳＢなどのインターフェースを介して接続され、そのコンピュータは、他のコンピュータとネットワークを介して接続されるようにしてもよい。
【図面の簡単な説明】
【００６６】
【図１】本発明の実施形態における多機能周辺装置を含む通信システムの電気的構成を示すブロック図である。
【図２】多機能周辺装置とパーソナルコンピュータにおける処理の概略を示す模式図である。
【図３】パーソナルコンピュータの表示画面を示す図であり、（ａ）は、アイコンが表示された場合、（ｂ）は、サムネイル画像が表示された場合を示す。
【図４】サムネイル画像ファイルの構成を示す図である。
【図５】ＰＣにおける処理を示すフローチャートである。
【図６】ＭＦＰにおける処理を示すフローチャートである。
【符号の説明】
【００６７】
１              多機能周辺装置（ＭＦＰ）
２              ＣＰＵ
３              ＲＡＭ
４              ＲＯＭ
８              メモリカード部（リムーバブルメディア装置）
２０            パーソナルコンピュータ（ネット機器）
２４            ハードディスク
４０            メモリカード（リムーバブルメディア）
５０            ＬＡＮ（ネットワーク）
【図１】
2007200235.tif 000003
【図２】
2007200235.tif 000004
【図３】
2007200235.tif 000005
【図４】
2007200235.tif 000006
【図５】
2007200235.tif 000007
【図６】
2007200235.tif 000008